(57)【要約】【課題】構造が簡単で製作が容易で、省エネルギー化、施工の容易化、コストの低廉化、従来の空調システムが抱える直接、間接的な大気汚染と、電力利用型の空調システムの高コスト状況また燃焼型の暖房システムによる諸々の自然環境破壊を軽減する。【解決手段】冷暖房空調装置を、地中に埋設されたコンクリート塊１と、このコンクリート塊１内に内装された空気循環パイプ２から構成する。空気循環パイプ２を水平方向に直管状に形成し、空気循環パイプ２の径方向にアルミパイプにモルタルコンクリートを充填した複数の伝熱管３を放射状に貫通して設ける。空気循環パイプ２は外気を供給する給気口５と送風口６とを備える。この冷暖房空調装置を地下深度が少なくとも３ｍ以下、好ましくは５ｍ以下の地中に埋設する。【選択図】  図１
2007147171.tif 000002
【特許請求の範囲】
【請求項１】
地下に埋設されたコンクリート塊と、該コンクリート塊内に内装された空気循環パイプとからなることを特徴とする地下定温利用冷暖房空調装置。
【請求項２】
空気循環パイプの径方向に複数の伝熱管が放射状に貫通して設けられていることを特徴とする請求項１記載の地下定温利用冷暖房空調装置。
【請求項３】
埋設深度が少なくとも地下３ｍ以下であることを特徴とする請求項１又は請求項２記載の地下定温利用冷暖房空調装置。
【発明の詳細な説明】
【技術分野】
【０００１】
本発明は冷暖房空調装置に関し、とくに、地下定温を利用し、省エネルギー化を図ることができる地下定温利用冷暖房空調装置に関する。
【背景技術】
【０００２】
冷暖房空調に関する技術は種々存在する。暖房では、石炭や石油等の化石燃料、木炭、薪等を燃料としたストーブ、電力を利用するヒーター等が一般的である。冷房では、暖房装置ほど多くの種類は存在せず。その主なものは、扇風機やヒートポンプ式のエアコンが一般的である。
【０００３】
前記したような冷暖房装置は、多くの電力を必要とし、その装置自体や設置費用及びランニングコストなどが嵩む。そこで、例えば、地下水の冷温を利用した冷房装置（例えば、特許文献１参照。）等が提案されている。
【０００４】
【特許文献１】特開平６−３４７０６５号公報（第２頁−第６頁、図１）
【発明の開示】
【発明が解決しようとする課題】
【０００５】
しかしながら、このような装置を畜舎あるいは住宅用として利用する場合は、更なる施工の容易化、コストの低廉化、冷却の効率化などが図られなければならない。本発明は上記課題に鑑みなされたもので、その目的は、省エネルギー化、施工の容易化、コストの低廉化、冷却の効率化を図り、従来の空調システムが必然的に抱える直接、間接的な大気汚染と、電力利用型の空調システムの高コスト状況また燃焼型の暖房システムによる諸々の自然環境破壊の軽減にある。
【課題を解決するための手段】
【０００６】
本発明者は、前記課題を解決するために、四季を通してほぼ一定である地下の定温状態、とくに地下３ｍ以下、好ましくは５ｍ以下での定温状態を活用することを見い出した。このため本発明は、地下に埋設されたコンクリート塊と、該コンクリート塊内に内装された空気循環パイプとからなることを第１の特徴とし、また、空気循環パイプの径方向に複数の伝熱管が放射状に貫通して設けられていることを第２の特徴とし、さらに、コンクリート塊の埋設深度が少なくとも地下３ｍ以下であることを第３の特徴とする。
【発明の効果】
【０００７】
本発明によれば、以下の優れた効果がある。
（１）冬は１１〜１４℃、夏は７〜１１℃前後であるという地下３ｍ以下の定温状態を利用することにより、夏は温度２５〜３５℃、冬は温度−５℃〜１０℃の外気温度を夏冬各々の地下温度を中心とした温度帯（７〜１４℃）に移行させて室内に送風することができる。また、大気汚染の元凶である化石燃料の消費の大幅削減に寄与する。さらに電力消費量を著しく削減できる。
（２）一旦埋設すると半永久的に利用可能で、ランニングコストも極端に削減でき、直接、間接の大気汚染防止、また、火力も用いないため二酸化炭素や一酸化炭素中毒になる危険もなく、省エネルギー効果を果たすのみでなく安全である。
（３）構造が簡単で安価に製作できる。
【０００８】
本発明では、給気口より空気循環パイプに空気を圧送し、これと同時に送風口から定温状態の空気が室内に送出される。そして、外気の高い温度を熱伝導率の高い金属製の空気循環パイプを介してコンクリート塊及び空気循環パイプの径方向に放射状に貫通して設けられた複数の伝熱管に伝導させる。これによりコンクリート塊及び伝熱管の温度が上昇し、循環パイプ内で空気の対流が起こり地中温度と空気温度が平衡し定温状態となる。
【発明を実施するための最良の形態】
【０００９】
次に、本発明の実施の形態を図面に示す実施例に基づいて説明する。
図１は本発明に係る冷暖房空調装置を地中に埋設した状態を示す側面図、図２は図１のＡ−Ａ線断面図、図３は本発明に係る空気循環パイプの要部平面図、図４は図３のＢ−Ｂ線断面図である。
【実施例１】
【００１０】
図１乃至図３に示すように、本実施例の冷暖房空調装置は、地中Ｇに埋設されたコンクリート塊１と、このコンクリート塊１に内装された空気循環パイプ２から構成されている。空気循環パイプ２は水平方向に直管状に形成され、空気循環パイプ２の径方向にアルミパイプにモルタルコンクリートを充填した複数の伝熱管３が放射状に貫通して設けられている。
【００１１】
ここで、伝熱管３は、空気循環パイプ２の長手方向に対して角度４５度ずつ位相して千鳥状に固定されている。そして、立上り管４から外気を供給する給気５と送風口６とを供えている。この場合、送風口６にも立上り管４が接続できるようにされている。冷暖房空調装置は深度が少なくとも地下３ｍ以下の地中に埋設されるものである。空気循環パイプ２及び伝熱管３の材質としては、熱伝導率が高く腐食に強いアルミニウムが好適である。
【００１２】
空気循環パイプ２は、掘削坑に打設されたコンクリート１と共に埋設される。そして、給気口５より空気循環パイプ２に空気を圧送し、これと同時に送風口６から定温状態の空気が室内に送出される。すなわち、外気の温度を空気循環パイプ２を介して打設されたコンクリート１に伝導させる。これにより空気循環パイプ２内で空気の対流が起こり地中温度と空気温度が平衡し定温状態となる。
【００１３】
そして、上記構成により冬は１１〜１４℃、夏は７〜１１℃前後であるという地下３ｍ以下、好ましくは５ｍ以下の定温状態を利用することにより、夏は温度２５〜３５℃、冬は温度−５℃〜１０℃の外気温度を夏冬各々の地下温度を中心とした温度帯（７〜１４℃）に移行させて室内に送風することができる。また、大気汚染の元凶である化石燃料の消費の大幅削減に寄与する。さらに電力消費量を著しく削減できる。
【００１４】
また、一旦埋設すると半永久的に利用可能で、ランニングコストも極端に削減でき、直接、間接の大気汚染防止、また、火力も用いないため二酸化炭素や一酸化炭素中毒になる危険もなく、省エネルギー効果を果たすのみでなく安全である。
【産業上の利用可能性】
【００１５】
尚、本発明は上記実施例に限定されず、種々の応用変形が可能である。例えば、補助給気機としてエアコンに連結し省エネ化を図ることもできる。
【図面の簡単な説明】
【００１６】
【図１】本発明に係る冷暖房空調装置を地中に埋設した状態を示す側面図である。
【図２】図１のＡ−Ａ線断面図である。
【図３】本発明に係る空気循環パイプの要部平面図である。
【図４】図３のＢ−Ｂ線断面図である。
【符号の説明】
【００１７】
１      コンクリート塊（打設コンクリート）
２      空気循環パイプ
３      伝熱管（モルタル充填管）
４      立上り管
５      給気口
６      排気口
Ｇ      地中
【図１】
2007147171.tif 000003
【図２】
2007147171.tif 000004
【図３】
2007147171.tif 000005
【図４】
2007147171.tif 000006